(57)【特許請求の範囲】
【請求項１】
操作部と表示部とを備える操作表示器と、
特定の機器の動作を指示する第１状態と、特定の場面に対応するように定めた所定の機器の動作を指示する前記第１状態とは機能的に独立した第２状態との一方を選択する処理部と、
前記操作表示器が操作されたときに、前記処理部が選択している前記第１状態と前記第２状態とのいずれかに応じた指示信号を出力する出力部とを備え、
前記処理部は、前記操作表示器の特定の操作に対して前記第１状態と前記第２状態との一方を選択し、前記第１状態と前記第２状態とにおいて前記表示部の表示内容を異ならせる
ことを特徴とするスイッチ。
【請求項２】
前記第２状態は、複数の機器の動作を一括して指示するように定められていることを特徴とする請求項１記載のスイッチ。
【請求項３】
前記処理部は、前記第２状態が選択されているときに、前記特定の場面を表す図形または文字を前記表示部に表示させることを特徴とする請求項２記載のスイッチ。
【請求項４】
前記処理部は、
建物に配置された機器の動作履歴を記憶し、動作履歴の分析によって前記特定の場面に対応する機器の動作を学習する学習部を備え、
前記出力部は、前記第２状態が選択されると、前記学習部が学習した機器の動作を指示する指示信号を出力する
ことを特徴とする請求項１〜３のいずれか１項に記載のスイッチ。
【請求項５】
前記処理部は、
日時に基づいて前記第２状態における前記特定の場面を選択する条件部を備える
ことを特徴とする請求項１〜４のいずれか１項に記載のスイッチ。
【請求項６】
請求項１〜５のいずれかに記載のスイッチと、
建物に配置された機器と通信するコントローラとを備え、
前記スイッチと前記コントローラとが通信することにより、前記スイッチが前記コントローラを通して前記機器に指示信号を送信する
ことを特徴とする機器制御システム。
【請求項７】
操作部と表示部とを備える操作表示器と、
特定の機器の動作を指示する第１状態と、特定の場面に対応するように定めた所定の機器の動作を指示する前記第１状態とは機能的に独立した第２状態との一方を選択する処理部と、
前記操作表示器が操作されたときに、前記処理部が選択している前記第１状態と前記第２状態とのいずれかに応じた指示信号を出力する出力部とを備え、
前記処理部は、前記操作表示器の特定の操作に対して前記第１状態と前記第２状態との一方を選択し、前記第１状態と前記第２状態とにおいて前記表示部の表示内容を異ならせるスイッチにおいて、
コンピュータを、前記処理部として機能させるためのプログラム。
【発明の詳細な説明】
【技術分野】
【０００１】
本発明は、建物において機器の動作を指示するスイッチ、このスイッチを用いた機器制御システム、このスイッチに用いるプログラムに関する。
【背景技術】
【０００２】
従来、１回の操作で複数の負荷を制御する技術が知られている（たとえば、特許文献１参照）。特許文献１には、液晶表示器とタッチパネルとを備える監視端末器が記載されている。また、特許文献１には、この監視端末器が、オン／オフスイッチの機能を持つ監視端末器となる状態、グループスイッチの機能を持つ監視端末器となる状態などに状態遷移することが記載されている。
【先行技術文献】
【特許文献】
【０００３】
【特許文献１】特開２００２−２６０８７１号公報
【発明の概要】
【発明が解決しようとする課題】
【０００４】
特許文献１に記載された技術では、特定の負荷のオン／オフを行う際に、個別の負荷のオン／オフを行うか、複数の負荷のオン／オフをまとめて行うかを選択しているにすぎない。
【０００５】
本発明は、特定の機器の動作を指示する機能と、特定の場面に応じた機器の動作を指示する機能とを備えるスイッチ、機器制御システム、プログラムを提供することを目的とする。
【課題を解決するための手段】
【０００６】
本発明に係るスイッチは、操作部と表示部とを備える操作表示器と、特定の機器の動作を指示する第１状態と、特定の場面に対応するように定めた所定の機器の動作を指示する前記第１状態とは機能的に独立した第２状態との一方を選択する処理部と、前記操作表示器が操作されたときに、前記処理部が選択している前記第１状態と前記第２状態とのいずれかに応じた指示信号を出力する出力部とを備え、前記処理部は、前記操作表示器の特定の操作に対して前記第１状態と前記第２状態との一方を選択し、前記第１状態と前記第２状態とにおいて前記表示部の表示内容を異ならせることを特徴とする。
【０００７】
本発明に係る機器制御システムは、上述のスイッチと、建物に配置された機器と通信するコントローラとを備え、前記スイッチと前記コントローラとが通信することにより、前記スイッチが前記コントローラを通して前記機器に指示信号を送信することを特徴とする。
【０００８】
本発明に係るプログラムは、操作部と表示部とを備える操作表示器と、特定の機器の動作を指示する第１状態と、特定の場面に対応するように定めた所定の機器の動作を指示する前記第１状態とは機能的に独立した第２状態との一方を選択する処理部と、前記操作表示器が操作されたときに、前記処理部が選択している前記第１状態と前記第２状態とのいずれかに応じた指示信号を出力する出力部とを備え、前記処理部は、前記操作表示器の特定の操作に対して前記第１状態と前記第２状態との一方を選択し、前記第１状態と前記第２状態とにおいて前記表示部の表示内容を異ならせるスイッチにおいて、コンピュータを、前記処理部として機能させるためのものである。
【発明の効果】
【０００９】
本発明の構成によれば、特定の機器の動作を指示する機能と、特定の場面に応じた機器の動作を指示する機能とを備えるスイッチ、機器制御システム、プログラムを提供できる。
【図面の簡単な説明】
【００１０】
【図１】実施形態１を示すブロック図である。
【図２】実施形態１において第１のデータ組を選択した状態の正面図である。
【図３】実施形態１において第２のデータ組を選択した状態で、図３Ａは「就寝」、図３Ｂは「起床」、図３Ｃは「帰宅」、図３Ｄは「帰宅」、図３Ｅは「外出」に対応する例の正面図である。
【図４】実施形態２を示すブロック図である。
【図５】実施形態３を示すブロック図である。
【図６】実施形態１〜３に共通する画面例を示す図である。
【発明を実施するための形態】
【００１１】
（実施形態１）
以下に説明するスイッチは、ユーザの操作を受け付ける操作部と、操作部の操作による入力信号を受けて機器の動作を指示する指示信号を出力する出力部とを備える。機器は、他装置との通信が可能であって、他装置から動作の指示を受け、他装置に動作状態を通知する機能を有する。建物は、基本的には住宅を想定しており、集合住宅であれば、複数の住戸それぞれが建物に相当する。建物は、住宅に限らず、店舗、または事務所などであってもよい。
【００１２】
以下では、建物が住宅であり、機器がＨＥＭＳ（Home Energy Management System）のコントローラ（以下、「ＨＥＭＳコントローラ」という）と通信する場合を例として説明する。この構成例において、スイッチは、指示信号をＨＥＭＳコントローラに通知し、ＨＥＭＳコントローラを通して機器に動作を指示する。スイッチは、住宅の少なくとも１箇所に配置されていればよいが、複数のスイッチが住宅の複数箇所に分散して配置されていることが望ましい。また、このスイッチは、一般的な壁スイッチと同様に、住宅の壁に固定される。
【００１３】
機器は、ＨＥＭＳコントローラと通信することにより、ＨＥＭＳコントローラから動作が指示され、またＨＥＭＳコントローラに動作状態を通知できるように構成されていればよい。一例を挙げると、機器には、照明機器、空調機器、ＩＨクッキングヒータ（IH:Induction Heating）、給湯器、電動シャッタ、空気清浄機、温湿度センサ（温度センサと湿度センサとの複合センサ）、人感センサなどがある。これらの機器は、使用時には移動できないように建物に対する位置が固定されているが、建物に対する相対位置が固定されていることは必須ではない。機器は、建物で使用する機器であればよく、電子レンジ、冷蔵庫、テレビジョン受像機のように、おおむね同じ場所で使用される機器であればよい。
【００１４】
図１に示すように、スイッチ１０は、操作表示器１１を備える。操作表示器１１は、操作部１１１と表示部１１２とを備える。さらに、スイッチ１０は、操作制御部１２１と表示制御部１２２と処理部１３とインターフェイス部１４とを備える。インターフェイス部１４は、出力部１４１と入力部１４２とを含む。以下では、インターフェイス部を「Ｉ／Ｆ部」と記述する。操作部１１１は、操作制御部１２１と電気的に接続され、表示部１１２は、表示制御部１２２と電気的に接続される。Ｉ／Ｆ部１４は、通信機能を有し、ＨＥＭＳコントローラ３０と通信可能である。なお、スイッチ１０とＨＥＭＳコントローラ３０との間の通信は、無線と有線とのどちらでもよく、通信の信頼性を高めるために無線と有線とを併用してもよい。有線で通信を行う場合は、屋内配電線を通信線として兼用する電力線搬送通信の技術を用いると、別途に通信線を配線する必要がなく、施工の手間を省くことができる。また、電力線搬送通信の技術を用いていると、既存のスイッチと同様の作業で既存のスイッチと置き換えることが可能になる。
【００１５】
操作制御部１２１は、操作部１１１に対する少なくとも２種類の操作を区別する。２種類の操作のうちの一方は、機器２０の動作を指示する操作であり、２種類の操作のうちの他方は、表示部１１２の表示内容を変更する操作である。操作制御部１２１は、これらの２種類以外の操作を区別するように構成することが可能であるが、本実施形態では、上述した２種類の操作を区別できればよい。また、表示制御部１２２は、処理部１３から表示内容を指示する表示信号を受け、処理部１３が指示した表示内容を表示部１１２に表示する。
【００１６】
処理部１３は、ユーザが操作部１１１を操作したときに出力部１４１が出力する指示信号の内容（以下、「指示内容」という）を表すデータを、表示部１１２の表示内容を表すデータと対応付けて記憶する記憶部１３１を備える。記憶部１３１は、指示内容を表すデータと表示内容を表すデータとを対応付けたデータの組（tuple）を複数組記憶する。以下では、データの組を「データ組」という。処理部１３は、複数のデータ組のいずれかを記憶部１３１から読み出し、読み出したデータ組における表示内容のデータを表示制御部１２２に引き渡す。表示制御部１２２は、受け取った表示内容を表示部１１２に表示する。また、機器２０の動作を指示するように操作部１１１が操作され、操作制御部１２１から処理部１３が入力信号を受けると、処理部１３は、表示内容のデータに応じた指示内容のデータを出力部１４１に引き渡す。したがって、出力部１４１は表示内容に応じた指示信号を出力する。
【００１７】
表示部１１２の表示内容を変更するように操作部１１１が操作された場合、操作制御部１２１は処理部１３に対して表示内容の変更を指示する変更信号を出力する。処理部１３は、変更信号を受けると、あらかじめ定めた条件に従って、記憶部１３１から新たなデータ組を読み出す。処理部１３は読み出したデータ組に含まれる表示内容のデータを表示制御部１２２に引き渡し、表示制御部１２２は表示部１１２の表示内容を変更する。この状態において、機器２０の動作を指示するように操作部１１１が操作されると、処理部１３は選択したデータ組に応じた指示内容のデータを出力部１４１に引き渡し、出力部１４１は表示内容に応じた指示信号を出力する。出力部１４１が出力した指示信号はＨＥＭＳコントローラ３０に送信され、ＨＥＭＳコントローラ３０が指示信号に従って機器２０の動作を制御する。
【００１８】
スイッチ１０において処理部１３は、プログラムに従って動作するプロセッサを備えるデバイスを主なハードウェア要素として備える。プロセッサを備えるデバイスは、メモリを一体に備えるマイコン（microcontroller）、あるいはメモリを別に設けるマイクロプロセッサなどが用いられる。すなわち、スイッチ１０は、コンピュータを用いて構成される。メモリは、プロセッサの作業記憶に用いるＲＡＭ（Random Access Memory）に加えて、記憶部１３１を構成する書換可能な不揮発性メモリ（たとえば、ＥＥＰＲＯＭ（Electrically Erasable Programmable Read-Only Memory））などを備える。プログラムは、このコンピュータを、スイッチ１０として機能させるために用いられる。このプログラムは、ＲＯＭ（Read Only Memory）にあらかじめ記憶させておくほか、コンピュータで読取可能なメモリカードのような記録媒体で提供されるか、インターネットのような電気通信網を通して提供される。すなわち、コンピュータを、処理部１３として機能させるためのプログラムが提供される。
【００１９】
以下では、スイッチ１０の構成および動作をより具体的に説明する。スイッチ１０は、図２に示すように、壁面などに取り付けられる器体１００を備える。器体１００は、一般的な壁スイッチと同様の外観を有している。図示するスイッチ１０は、壁に設けた取付穴に器体１００の後部を埋め込んだ状態で取り付ける埋込型の構成を示している。埋込型の器体１００は、壁に固定した取付用のフレームと結合可能となる構造を有している。この種の構造は周知であって、たとえば、取付用のフレームに設けた爪と結合するように、器体１００の側面に穴が形成されることにより実現される。あるいは、フレームに穴が形成され、器体１００の側面に爪が形成されていてもよい。フレームの前面は、化粧プレート１０１で覆われる。化粧プレート１０１は、器体１００の前面を露出させる窓１０２を有し、かつ壁に形成された取付穴の縁を覆う機能を有する。
【００２０】
操作表示器１１は、器体１００の前面であって化粧プレート１０１の窓１０２から露出する部位に配置される。表示部１１２は、フラットパネル型のディスプレイで構成され、操作部１１１は、表示部１１２の画面に重ねたタッチパネルで構成される。表示部１１２を構成するディスプレイは、グラフィック表示用であり、液晶ディスプレイ、ＯＬＥＤ（Organic Light Emitting Diode）ディスプレイなどから選択される。
【００２１】
操作部１１１に対して機器２０の動作を指示する操作は、操作部１１１に指相当物を触れる操作（タッチ）、あるいは指相当物で軽く叩く操作（タップ）である。また、操作部１１１に対して表示内容の変更を指示する操作は、操作部１１１に触れた状態で指相当物を左右方向（あるいは上下方向）に滑らせる操作（スワイプ）である。指相当物は、一般的には、指、タッチペンなどである。
【００２２】
記憶部１３１は、少なくとも２種類のデータ組を格納している。以下では、２種類のデータ組を区別する場合に、「第１のデータ組」と「第２のデータ組」の用語を用いる。第１のデータ組と第２のデータ組とのそれぞれは、表示内容のデータと指示内容のデータとを対応付けたデータ組である。記憶部１３１が格納するデータ組の個数は、第１のデータ組については１個に制限されているが、第２のデータ組については制限はない。
【００２３】
第１のデータ組は、特定の機器２０に対応する。第１のデータ組における指示内容のデータは特定の機器２０だけを対象とし、表示内容のデータは、たとえば図２に示しているように、表示部１１２の表示内容が壁スイッチのハンドルに似た印象を与えるように構成される。特定の機器２０は、一般的には、スイッチ１０の施工時に、スイッチ１０に対して固定的に関連付ける機器２０である。すなわち、記憶部１３１には、操作部１１１の操作に対する指示内容のデータが固定的に設定される。特定の機器２０は、一例を言えば、スイッチ１０が配置されている部屋の照明機器が相当する。言い換えると、第１のデータ組を用いると、スイッチ１０は壁スイッチと同様に機能する。
【００２４】
第２のデータ組は、特定の場面に対応する。第２のデータ組における表示内容のデータは、たとえば図３に示すように、ピクトグラムのような図形１０３で構成される。第２のデータ組における表示内容は、機能を表す文字であってもよい。特定の場面は、主として、生活場面である。生活場面は、たとえば、就寝、起床、帰宅、外出などから選択される。図３Ａは就寝、図３Ｂは起床、図３Ｃは父親の帰宅、図３Ｄは子供の帰宅、図３Ｅは外出をそれぞれ表す図形１０３を表示内容とする例を示している。記憶部１３１には、操作部１１１の操作に対する指示内容のデータが特定の場面に応じて定められる。第２のデータ組は、スイッチ１０と機器２０との関係が固定的ではなく変更可能であって、スイッチ１０の施工時以降に記憶部１３１に格納される。特定の場面が生活場面に対応していることは必須ではなく、集中力を高めるように機器２０の動作を制御する場面、リラックスするように機器２０の動作を制御する場面などをスイッチ１０に対応付けることも可能である。
【００２５】
第２のデータ組は、複数の機器２０の動作を一括して制御するように指示内容のデータを定めることが可能である。第２のデータ組における指示内容のデータが複数の機器２０を対象にしている場合、機器２０の種類だけではなく、機器２０ごとの動作の内容、機器２０に動作を指示する順番などの情報が指示内容に含まれる。処理部１３が第２のデータ組を選択すると、スイッチ１０は、生活場面に応じて複数の機器２０の動作を一括して制御することが可能になる。また、スイッチ１０は、処理部１３が第２のデータを選択した場合には、第１のデータ組で固定的に対応付けている機器２０ではない機器２０の動作を生活場面に応じて制御することが可能になる。
【００２６】
また、複数個の第２のデータ組を記憶部１３１に格納することが可能である。複数個の第２のデータ組が記憶部１３１に格納されている場合、処理部１３は、所定の条件に応じて１個の第２のデータ組を選択し、選択した第２のデータ組によって表示部１１２の表示内容と、操作部１１１の操作に対する機器２０の指示内容とを定める。データ組を選択するための条件は、操作部１１１からの操作入力、場所、時間、通信で取得した情報、スイッチ１０を操作する人などである。これらの条件は、単独でデータ組の選択に用いられるか、組み合わせてデータ組の選択に用いられる。
【００２７】
処理部１３は、条件の成立時に、どのデータ組を選択するかを定めたルールを記憶する条件部１３２を備える。処理部１３は、条件部１３２が記憶している条件が成立すると、条件に対応したデータ組を記憶部１３１から抽出し、操作部１１１の操作に対する指示内容と表示部１１２への表示内容とを決定する。
【００２８】
図１に示すスイッチ１０は、上述したすべての条件を用いることができる構成例を示している。すなわち、スイッチ１０は、場所を登録する登録部１５と、日時を計時する時計部１６と、通信によって情報を取得する取得部１７と、人の接近と識別とを行う識別部１８とを備える。識別部１８は省略可能である。
【００２９】
登録部１５には、第１のデータ組が対象とする特定の機器２０に関連した名称が登録される。本実施形態では、スイッチ１０を住宅に配置するから、登録部１５に登録される名称は、基本的には、特定の機器２０が配置されている部屋名あるいは場所名であり、たとえば「リビング」、「寝室」、「廊下」などの名称が登録部１５に登録される。
【００３０】
なお、登録部１５には、機器２０の名称が付加されていてもよい。たとえば、リビングに、主照明用とスポット照明用との２種類の照明機器が配置され、主照明用の照明機器とスポット照明用の照明機器とに、それぞれ異なるスイッチ１０が対応している場合、場所名に加えて機器２０の名称が登録部１５に登録される。登録部１５への名称の登録は、通常は、スイッチ１０の施工時に行われる。つまり、第１のデータ組を記憶部１３１に登録する際に、登録部１５への名称の登録も行われる。
【００３１】
時計部１６は、リアルタイムクロックなどで構成される。時計部１６は、年月日、時刻のほか、曜日、祝日などの情報を出力することが可能である。したがって、条件部１３２が記憶するルールは、これらの情報を条件に持つことができる。時間を条件とするルールは、時間を単独で条件に用いる場合と、時間と場所とを組み合わせた条件を用いる場合とがある。また、場所を条件とするルールは、時間と組み合わせた条件を用いる。
【００３２】
取得部１７は、ＨＥＭＳコントローラ３０との通信により、他のスイッチ１０の操作に関する情報、機器２０の動作に関する情報、センサが検出した情報などを取得する。他のスイッチ１０の操作に関する情報は、たとえば、スイッチ１０がオンかオフかを表す情報、照明機器の調光あるいは調色を行うスイッチ１０であれば調光あるいは調色の状態の情報などである。機器２０の動作に関する情報は、たとえば、機器２０がオンかオフかを表す情報、機器２０が空調機器であれば設定温度の情報などである。センサが検出した情報は、センサが室温を計測する温度センサであれば室温の情報、センサが外気温を計測する温度センサであれば外気温の情報などである。
【００３３】
識別部１８は、指紋認証のような生体認証を用いることが可能である。また、識別部１８は、スマートフォンあるいはタブレット端末との通信を行うことによって、人の接近および識別を行う技術を採用してもよい。たとえば、スマートフォンあるいはタブレット端末とスイッチ１０とが近距離に制限された通信を行うことにより、スイッチ１０を操作する範囲に存在するスマートフォンあるいはタブレット端末を識別することが可能である。スマートフォンあるいはタブレット端末を特定する情報を、識別部１８に前もって登録しておけば、識別部１８はスマートフォンあるいはタブレット端末との通信により、所有者を認識することが可能になる。なお、近距離の通信は、たとえばBluetooth LE（Bluetooth（登録商標）、LE：Low Energy）のような通信技術を用いることによって実現される。この種の通信技術を用いると、屋内測位システムを構築し、住宅におけるスマートフォンあるいはタブレット端末の位置を特定することも可能である。
【００３４】
ところで、処理部１３は、操作表示器１１をマンマシンインターフェイスとして上述のような指示内容を設定する機能を有している。つまり、ユーザは、操作表示器１１を用いることにより、どの場面にどの機器２０を対応付け、どのように動作させるかを設定することが可能である。設定された指示内容は、記憶部１３１に格納される。また、処理部１３は、操作表示器１１をマンマシンインターフェイスとして記憶部１３１に格納された指示内容を編集する機能も有している。
【００３５】
なお、処理部１３は、記憶部１３１に格納する指示内容だけではなく、条件部１３２に設定する条件、登録部１５に登録する名称なども、操作表示器１１をマンマシンインターフェイスとしてユーザが登録および編集を行うことを可能にするように構成される。さらに、処理部１３は、第１のデータ組についても、対象である特定の機器２０を表す名称を付加する機能、表示部１１２の画面の色を選択する機能などを有していてもよい。
【００３６】
第２のデータ組において指示内容に対応付ける図形１０３のデータ（つまり、表示内容のデータ）は、インターネットのような電気通信回線５０を通してＨＥＭＳコントローラ３０と通信するサーバ４０から取得すればよい。サーバ４０には、機器２０の動作を制御することが想定される場面に応じた、種々の図形１０３（表示内容）のデータが用意される。したがって、ユーザは操作表示器１１を操作することによって、所望のデータを選択すれば、指示内容と表示内容とを関係付けることができる。同種の場面に対して図形１０３を構成するための様々な部品をサーバ４０に登録しておいてもよい。この場合、ユーザは部品を組み合わせることによって、好みの図形１０３を作成することが可能になり、スイッチ１０にエンタテインメント性を持たせることが可能になる。
【００３７】
以下に、本実施形態におけるスイッチ１０の動作例を説明する。上述のように、第１のデータ組が選択されている状態（第１状態）では、操作部１１１に対応する指示内容および表示部１１２の表示内容は、特定の機器２０の動作を制御するように定められる。第１のデータ組では、たとえば、照明機器のような機器２０を対象として、操作部１１１のタッチあるいはタップの操作により、機器２０のオンとオフとを選択するように指示内容が定められる。また、図２に示すように、表示部１１２が一般的な壁スイッチに見えるように、表示部１１２の表示内容が定められる。
【００３８】
この例では、指示内容は、機器２０がオフであるときは操作部１１１の操作により機器２０がオンになり、機器２０がオンであるときは操作部１１１の操作により機器２０がオフになるように、機器２０の動作の状態が条件になるように定められる。すなわち、いわゆるオルタネイト動作（プッシュオン・プッシュオフ型の押釦スイッチの動作）となるように、指示内容が定められる。なお、スイッチ１０には、照明機器の光出力、光色などを指示する機能を持たせることが可能であり、また空調機器の温度、風速、風向などを指示する機能を持たせることが可能である。これらの機能をスイッチ１０に持たせる場合は、表示部１１２に、調節用のダイアルあるいは調節用のスライダを表示するように表示内容を定めてもよい。この場合、ダイアルを回す操作あるいはスライダをスライドさせる操作が可能になるように第１のデータ組を定めてもよい。
【００３９】
一方、第２のデータ組が選択されている状態（第２状態）では、操作部１１１に対応する指示内容および表示部１１２の表示内容は、特定の場面に対応するように選択された１ないし複数の機器２０の動作を制御するように定められる。第２のデータ組では、たとえば、就寝という場面に応じた制御を実現するために、操作部１１１のタッチあるいはタップの操作により、リビングに配置された複数の機器２０を一括してオフにするように指示内容が定められる。リビングに配置された複数の機器２０は、たとえば、照明機器、テレビ、エアコンなどである。また、図３に示すように、場面を想起させるピクトグラムのような図形１０３を表示部１１２に表示するように表示内容が定められる。
【００４０】
操作部１１１の操作に対応付ける機器は、一つの部屋の機器２０に限らず、他の場所の機器２０を含んでいてもよい。たとえば、上述の例のようにリビングの機器２０の動作を一括して制御する場合に、風呂用の給湯器のような他の機器２０も併せてオフにするように指示内容を定めることも可能である。また、この例では、機器２０を同時にオフにするように指示内容を定めているが、機器２０をオフにするタイミングをずらすように指示内容を定めることも可能である。たとえば、リビングの機器２０と階段の照明機器とを一括してオフにする場合であれば、リビングの機器２０オフにしてから、人が階段を通過する程度の所定時間が経過した後に、階段の照明機器がオフになるように指示内容を定めてもよい。
【００４１】
第１のデータ組は、特定の機器２０の動作の状態を条件として、操作部１１１の操作に対する機器２０の動作の指示内容を変化させるように定められているから、第１のデータ組が選択されている場合は、操作部１１１の操作は繰り返して行うことが可能である。一方、第２のデータ組は、特定の場面に応じた指示内容を定めているから、第２のデータが選択されている場合は、操作部１１１の操作は１回限りであって、指示内容に対応する制御を実現すれば操作は終了する。
【００４２】
第１のデータ組を選択する状態（第１状態）と第２のデータ組を選択する状態（第２状態）とは、操作表示器１１の画面に触れることによって切り替えることが可能である。本実施形態では、第１のデータ組を選択する状態（第１状態）と第２のデータ組を選択する状態（第２状態）とは、操作表示器１１の画面に対してスワイプという操作を行うことによって切り替えることが可能である。
【００４３】
ここでは、「帰宅」と「就寝」という２種類の生活場面に対応する２種類の第２のデータ組を記憶部１３１に格納した場合を例として説明する。また、処理部１３が、条件部１３２に設定された条件に基づいて、帰宅時には「帰宅」に対応する第２のデータ組を選択し、就寝時には「就寝」に対応する第２のデータ組が選択するという動作を想定する。つまり、帰宅時には玄関付近に配置したスイッチ１０の操作表示器１１に、図３Ｃあるいは図３Ｄのような図形１０３が表示され、就寝時には寝室に配置したスイッチ１０の操作表示器１１に、図３Ａのような図形１０３が表示されている状態を想定する。
【００４４】
この場合、ユーザは、帰宅時に玄関付近に配置したスイッチ１０を操作（タッチあるいはタップ）することによって、「帰宅」に対応した指示内容で機器２０の動作を制御することが可能になる。また、ユーザは、就寝時に寝室付近に配置したスイッチ１０を操作することによって、「就寝」に対応した指示内容で機器２０の動作を制御することが可能になる。
【００４５】
「帰宅」に対する指示内容は、たとえば、玄関の照明機器、リビングの照明機器、リビングのテレビ、リビングのエアコンを制御対象の機器２０として、制御対象の機器２０をオンにするように定められる。また、指示内容は、機器２０をオンにする順序も定めることが可能であり、たとえば、玄関の照明機器、リビングの照明機器、リビングのテレビ、リビングのエアコンという順序でオンにするように定められる。なお、指示内容において、制御対象の機器２０をオンにする順番が定められることは必須ではなく、たとえば、機器２０を同時にオンにするように指示内容を定めることも可能である。
【００４６】
また、「就寝」に対する指示内容は、たとえば、リビングの照明機器、リビングのテレビ、風呂用の給湯器、リビングのエアコンを制御対象の機器２０として、制御対象の機器２０をオフにするように定められる。指示内容は、機器２０をオフにする順序を定めてもよく、たとえば、リビングの照明機器、リビングのテレビ、風呂用の給湯器、リビングのエアコンという順序でオフにするように定められる。制御対象の機器２０をオフにする順番を指示内容に定めることは必須ではなく、たとえば、機器２０を同時にオフにするように指示内容を定めることも可能である。
【００４７】
ユーザが、「帰宅」あるいは「就寝」に対応する指示内容ではなく、特定の機器２０の動作を制御することを希望するときには、操作表示器１１の画面に対してスワイプという操作を行えば、第１のデータ組が選択される。つまり、スワイプによって操作表示器１１は、図２に示すような表示内容になり、特定の機器２０のみを対象として動作を指示することが可能になる。
【００４８】
ところで、条件部１３２には、以下のような条件が定められる。たとえば、「起床」、「帰宅」、「就寝」という３種類の場面に対応する第２のデータ組が記憶部１３１に格納されていると仮定する。この場合、条件部１３２に設定される条件は、登録部１５に登録された場所と、時計部１６が計時する時間と、取得部１７がＨＥＭＳコントローラ３０を通して取得する玄関付近のスイッチ１０の操作に関する情報とを用いて定められる。
【００４９】
「起床」に対応する第２のデータ組を選択する条件は時間を用いる。たとえば、処理部１３は、午前３時から午前９時の間などを条件として「起床」に対応する第２のデータ組を選択する。
【００５０】
「帰宅」に対応する第２のデータ組を選択する条件は、他のスイッチ１０の操作に関する情報と時間とを用いる。たとえば、処理部１３は、玄関付近に配置されたスイッチ１０に対して「外出」に相当する操作が行われた後、かつ午後６時から午後１０時の間などを条件として、「帰宅」に対応する第２のデータ組を選択する。玄関付近に配置されたスイッチ１０に対して「外出」に相当する操作が行われることは、「外出」に相当する第２のデータ組が選択されている状態（第２状態）でスイッチ１０を操作し、外出のために機器２０をオフにするという意味である。
【００５１】
「就寝」に対応する第２のデータ組を選択する条件は、機器２０の動作に関する情報と時間とを用いる。たとえば、処理部１３は、「帰宅」の条件として定めた時間帯に、所定の機器２０がオンになったとすれば、家人が帰宅したと推定し、この事象と午後９時以降であることとを条件として「就寝」に対応する第２のデータ組を選択する。
【００５２】
上述した条件の例は一例であって限定する趣旨ではなく、住宅における住人の生活に応じて適宜に定められる。上述した例では、条件が成立したときに、自動的に第２のデータ組が選択され、図３のような図形１０３が操作表示器１１に表示されている。この状態に対して、操作表示器１１に対してスワイプの操作を行って第１のデータ組を選択し図２のような表示内容に切り替えれば、スイッチ１０に対応付けた特定の機器２０のみの動作を制御することが可能である。
【００５３】
ところで、処理部１３は、取得部１７を通してＨＥＭＳコントローラ３０からセンサが検出した情報を取得し、当該情報を第２のデータ組を選択する条件に用いることが可能であり、また当該情報を用いて機器２０の指示内容を変更することが可能である。つまり、センサが検出する情報に応じて、操作表示器１１の表示内容を変更することが可能であり、また操作表示器１１を操作した場合の機器２０への指示内容を変更することが可能である。
【００５４】
たとえば、「就寝」に対応する第２のデータ組が選択されている状態（第２状態）で、操作表示器１１を操作した時点において、家人が入浴中である場面を想定する。上述した「就寝」に対応する指示内容の例では、風呂の給湯器が制御対象の機器２０に含まれているから、操作表示器１１が操作されると風呂の給湯器がオフになる。これに対し、浴室の人感センサが人を検出している場合には、「就寝」に対応する状態において操作表示器１１を操作しても、風呂の給湯器をオフの対象から除外するように条件を定めておけば、入浴中の家人が不便を被ることを防止できる。
【００５５】
また、「帰宅」に対応する第２のデータ組が選択されている状態（第２状態）で、操作表示器１１を操作した時点において、リビングの室温に関する情報が温度センサから得られている場合を想定する。上述した「帰宅」に対応する指示内容は、リビングのエアコンが制御対象の機器２０に含まれているから、操作表示器１１が操作されるとリビングのエアコンがオンになる。これに対して、温度センサが検出しているリビングの室温が所定の温度範囲である場合には、「帰宅」に対応する状態において操作表示器１１を操作しても、リビングのエアコンをオンの対象から除外するように条件を定めることが可能である。このような条件を定めている場合は、「帰宅」の操作に対してリビングのエアコンを不必要にオンにすることがなく、省エネルギーにつながることになる。
【００５６】
識別部１８を設けている場合、スイッチ１０を操作する人を識別し、操作表示器１１の表示内容と指示内容との少なくとも一方を人に応じて変更することが可能になる。ここでは、識別部１８がスマートフォンの接近を検出し、スマートフォンと近距離の通信を行うことにより、スマートフォンの所有者を認識する構成を採用している場合を想定する。また、「帰宅」に対応する第２のデータ組を選択する場合であって、父親の帰宅と子供の帰宅とに対して、それぞれ異なる第２のデータ組が記憶部１３１に格納されていることを仮定する。
【００５７】
この場合、玄関付近に配置したスイッチ１０において、識別部１８がスマートフォンの接近を検出し、スマートフォンの所有者を識別すると、処理部１３は、所有者に応じた第２のデータ組を選択する。この動作により、スイッチ１０を操作する人に応じて、帰宅の際の機器２０の制御が可能になる。この動作では、玄関付近に配置したスイッチ１０は、常時は第１のデータ組を選択した状態（第１状態）であり、スマートフォンの接近によって、所有者に対応した第２のデータ組を選択した状態（第２状態）に移行するように構成しておけばよい。また、第２のデータ組を選択した状態（第２状態）において、スマートフォンが検出されなくなれば、処理部１３は、第１のデータ組を選択した状態（第１状態）に自動的に復帰することが望ましい。
【００５８】
なお、「帰宅」という事象は「外出」という事象の後にしか生じないから、処理部１３は、「外出」を推定したことを条件として、「帰宅」に対応する第２のデータ組を選択してもよい。「外出」は、たとえば、玄関付近に配置されたスイッチ１０が操作された後に、住宅に配置されている人感センサが人を検知しない状態が所定時間（たとえば１時間）にわたって継続していることを条件として推定すればよい。
【００５９】
上述した動作例は、第２のデータ組を選択する条件について説明したが、第１のデータ組を選択する状態（第１状態）と、第２のデータ組を選択する状態（第２状態）とを条件に応じて定めてもよい。たとえば、処理部１３は、第１のデータ組を選択する状態（第１状態）と第２のデータ組を選択する状態（第２状態）とを時間帯を条件として区分することが可能である。また、処理部１３は、第２のデータ組を選択した状態（第２状態）において、操作表示器１１が操作された後は、第１のデータ組を選択する状態（第１状態）に移行するように構成されていてもよい。
【００６０】
以上説明したように、本実施形態は、スイッチ１０とＨＥＭＳコントローラ３０とを用いて機器２０を制御しており、スイッチ１０とＨＥＭＳコントローラ３０とにより機器制御システムが構築されている。また、機器制御システムは、サーバ４０を加えることも可能であり、サーバ４０を加えることにより、表示部１１２の表示内容に関するデータなどの提供が容易になる。なお、上述したサーバ４０は、１台のコンピュータで構成されるだけではなく、複数台のコンピュータで構成されていてもよい。また、サーバ４０は、クラウドコンピューティングシステムであってもよい。
【００６１】
ところで、人がスイッチ１０を操作する期間でなければ、表示部１１２の表示を消すことが可能である。とくに、表示部１１２に液晶ディスプレイ、またはＯＬＥＤディスプレイを用いている場合には、表示を消しておけば消費電力の増加が抑制される。スイッチ１０を操作する場合にのみ表示部１１２の表示を行う場合には、スイッチ１０に人の接近を検知する機能を設けておくことが望ましい。
【００６２】
そのため、スイッチ１０に人感センサを付加し、人感センサがスイッチ１０への人の接近を検知しない期間には、表示部１１２の表示を消しておく構成を採用してもよい。この構成では、人感センサによりスイッチ１０の近傍に人が存在することが検知されている期間にだけ、処理部１３が選択した表示内容を表示部１１２に表示するから、表示部１１２に常時表示を行う場合よりも消費電力を抑制することが可能になる。人感センサは、スイッチ１０とは別に設けられていてもよい。この場合、スイッチ１０への人の接近を、ＨＥＭＳコントローラ１０を通してスイッチ１０に通知する構成を採用すればよい。
【００６３】
なお、表示部１１２には、表示中には電力を消費しないように構成された電子ペーパを用いることが可能である。この場合、周囲が暗いと表示部１１２の表示内容の視認が困難になるから、周囲の明るさを監視する明るさセンサと、明るさセンサが監視する明るさが基準値以下になると点灯するＬＥＤランプのようなランプとをスイッチ１０に設けることが望ましい。
【００６４】
この構成では、スイッチの周囲が明るい日中には、表示部１１２への表示を行うための消費電力が発生せず、スイッチの周囲が暗い夜間には、ランプを点灯させることにより、表示部１１２をユーザに視認させることが可能になる。また、この構成に人感センサを組み合わせると、夜間であってもユーザがスイッチ１０を操作しないときには、ランプが消灯し、消費電力の増加を抑制することが可能になる。
【００６５】
すなわち、本実施形態の機器制御システムは、スイッチ１０と、建物（住宅）に配置された機器と通信するコントローラ（ＨＥＭＳコントローラ３０）とを備える。また、スイッチ１０とコントローラ（ＨＥＭＳコントローラ３０）とが通信することにより、スイッチ１０がコントローラ（ＨＥＭＳコントローラ３０）を通して機器２０に指示信号を送信する。
【００６６】
この構成により、本実施形態のスイッチ１０はＨＥＭＳコントローラ３０と連携して機器２０を制御することになる。
【００６７】
以上説明した本実施形態のスイッチ１０は、操作表示器１１と処理部１３と出力部１４１とを備える。操作表示器１１は、操作部１１１と表示部１１２とを備える。処理部１３は、特定の機器２０の動作を指示する第１状態と、特定の場面に対応するように定めた所定の機器２０の動作を指示する第２状態との一方を選択する。出力部１４１は、操作表示器１１が操作されたときに、処理部１３が選択している第１状態と第２状態とのいずれかに応じた指示信号を出力する。また、処理部１３は、操作表示器１１の特定の操作に対して第１状態と第２状態との一方を選択する。
【００６８】
この構成によれば、第１状態が選択されているときには、スイッチ１０を特定の機器２０の動作を指示するために用いることができ、第２状態が選択されているときには、生活場面のような特定の場面に応じた機器２０の動作を指示するために用いることができる。たとえば、スイッチ１０を、寝室の照明機器のオンとオフとを行う機能と、就寝時に住宅の複数の機器２０を一括してオフにする機能とに兼用することが可能になる。
【００６９】
処理部１３は、第１状態と第２状態とにおいて表示部１１２の表示内容を異ならせることが望ましい。
【００７０】
この構成によれば、表示部１１２の表示によって、ユーザは、第１状態か第２状態かを容易に認識することができる。
【００７１】
第２状態は、複数の機器２０の動作を一括して指示するように定められていることが望ましい。すなわち、特定の場面において、１回の操作で複数の機器２０にまとめて指示を与えることができる。
【００７２】
また、この構成において、処理部１３は、第２状態が選択されているときに、特定の場面を表す図形１０３または文字を表示部１１２に表示させることが望ましい。この構成により、ユーザは、操作部１１１の操作に対応した場面を直観的に知ることができる。
【００７３】
処理部１３は、日時に基づいて第２状態における特定の場面を選択する条件部１３２を備えることが望ましい。すなわち、日時に応じた場面で動作を指示すべき機器２０を変えることができる。
【００７４】
（実施形態２）
実施形態１は、第２のデータ組の設定をユーザが行う構成を例とした。本実施形態は、記憶部１３１が記憶する第２のデータ組の作成を自動化する例について説明する。一般的に、ユーザの生活場面において、どの機器２０の動作をどのように指示するかは、スイッチ１０Ａが設置される住宅で使用される機器２０、ユーザの生活習慣などによって異なる。そのため、本実施形態の処理部１３Ａは、図４に示すように、学習部１３３を備える。学習部１３３は、ユーザによる機器２０の動作履歴を記憶し、記憶した動作履歴を分析することによって、どのような生活場面で、どの機器２０がどのように制御されるかという規則を抽出し、抽出した規則を第２のデータ組として記憶部１３１に格納する。
【００７５】
実施形態１と同様に、「帰宅」と「就寝」とを例として学習部１３３の動作について説明する。スイッチ１０Ａの記憶部１３１には、第１のデータ組のみが設定され、第２のデータ組は設定されていない場合を仮定する。
【００７６】
いま、ＨＥＭＳコントローラ３０との通信によって、玄関の照明機器→リビングの照明機器→リビングのテレビ→リビングのエアコンという順序で所定時間内に各機器２０がオンになったという動作履歴を、学習部１３３が入力部１４２を通して取得したとする。また、リビングの照明機器→リビングのテレビ→風呂の給湯器→リビングのエアコンという順序で所定時間内に各機器２０がオフになったという動作履歴を、学習部１３３がＨＥＭＳコントローラ３０を通して取得したとする。ここに、所定時間は、たとえば５分以上３０分以下の範囲で選択され、望ましくは１０分以上１５分以下の範囲で選択される。学習部１３３は、このような動作履歴を時計部１６が計時している日時と併せて蓄積する。
【００７７】
学習部１３３は、所定日数分の動作履歴が蓄積されると、動作履歴を評価することにより、動作履歴から規則性を抽出する。動作履歴を評価するルールは、適宜に定めることが可能である。たとえば、学習部１３３は、以下のルールで動作履歴の類似性を評価することが可能である。
【００７８】
学習部１３３が動作履歴の類似性を評価するに際して、動作履歴において同時間帯において、上述した所定時間内にオンあるいはオフになった機器２０を一群の機器に定める。一群の機器は、特定の場面において併せてオンあるいはオフにされる可能性が高い機器２０の集合と言える。
【００７９】
学習部１３３は、抽出した一群の機器に含まれる機器２０の種類を比較し、一群の機器に同種類の機器２０が含まれているか否かを評価する。所定日数の動作履歴から抽出した日々の一群の機器が、同種類の機器２０だけを含み、かつ各機器２０の動作（オンまたはオフ）が同じである場合には、一群の機器に含まれる機器２０は併せてオンあるいはオフにされる機器２０と推定できる。学習部１３３は、一群の機器に上述のような規則性がある場合は、一群の機器に含まれる機器２０および機器２０の動作を、第２のデータ組における指示内容の候補として採用する。
【００８０】
なお、所定日数は、１週間から１ヶ月程度の範囲から選択される。日数が少なければ天候や曜日などの相違によるばらつきが生じ、日数が多くなると季節性によるばらつきが生じる可能性がある。したがって、所定日数は、２週間程度で曜日などを考慮して定めることが望ましい。
【００８１】
ここで、一群の機器に含まれる機器２０の動作の順番が同じであることが望ましいが、一部の順番が入れ替わっていても、同じ機器２０が一群の機器に含まれていれば、同じデータ組の候補として採用する。たとえば、帰宅時において、リビングのテレビをオンにしてからリビングのエアコンをオンにする日と、リビングのエアコンをオンにしてからリビングのテレビをオンにする日とが混在していても、学習部１３３は、同じデータ組として扱う。ただし、第２のデータ組における指示内容に機器２０の動作の順番を含める場合には、所定日数のうちで多数になるほうの順番を指示内容として採用すればよい。
【００８２】
第２のデータ組における表示内容は、指示内容の候補を抽出した時間帯に基づいて自動的に定めることが可能である。たとえば、典型的な生活場面に対応する表示内容のデータをサーバ４０あるいはＨＥＭＳコントローラ３０に用意しておき、時間帯に基づいて、生活場面に対応する表示内容のデータをサーバ４０あるいはＨＥＭＳコントローラ３０から読み込むことが可能である。なお、表示内容については、ユーザが好みに応じて選択できるようにしておくことが望ましい。
【００８３】
学習部１３３の動作例を以下に示す。いま、玄関の照明機器→リビングの照明機器→リビングのテレビ→リビングのエアコンを制御対象の機器２０として、これらの機器２０をすべてオンにするという動作履歴があり、学習部１３３が、これらの機器２０を一群の機器として抽出したとする。上述した所定日数について、このような一群の機器が抽出された場合、学習部１３３は「帰宅」に関連する機器２０の動作と推定し、抽出した一群の機器の動作を「帰宅」に対応した指示内容のデータとして記憶部１３１に格納する。また、学習部１３３は、「帰宅」に対応する図形１０３のデータを、サーバ４０あるいはＨＥＭＳコントローラ３０から読み込んで、「帰宅」に対応する表示内容のデータとして記憶部１３１に登録する。
【００８４】
また、リビングの照明機器→リビングのテレビ→風呂の給湯器→リビングのエアコンを制御対象の機器２０として、これらの機器２０をすべてオフにするという動作履歴があり、学習部１３３が、これらの機器２０を一群の機器として抽出したとする。「帰宅」の場合と同様に、学習部１３３が所定日数おいて上述のような一群の機器を抽出した場合、学習部１３３は「就寝」に関連する機器２０の動作と推定する。つまり、抽出した一群の機器の動作を「就寝」に対応した指示内容のデータとして記憶部１３１に格納する。また、「就寝」に対応する表示内容のデータを記憶部１３１に登録する。
【００８５】
学習部１３３が「起床」に関する一群の機器を動作履歴から抽出する場合には、時間帯を考慮すればよい。たとえば、学習部１３３は、早朝の所定時刻（たとえば午前３時）以降において、初めて動作が指示された機器２０から所定時間（たとえば１０分）以内に動作が指示された機器２０を一群の機器として抽出する。このようにして学習部１３３が抽出した一群の機器は、「起床」に対応する機器２０と推定される。
【００８６】
同様にして、学習部１３３が「就寝」に関する一群の機器を動作履歴から抽出する場合にも時間帯を考慮することが望ましい。この場合、夜間の所定時刻（たとえば午後９時）以降において、機器２０のオフが指示された後に、機器２０をオンにする指示が所定時間（たとえば１時間）にわたって発生しない場合に、オフが指示された機器２０は「就寝」に対応する一群の機器と推定される。
【００８７】
上述した学習部１３３の処理は一例であって、学習部１３３が動作履歴を評価するルールは適宜に定めることが可能である。とくに、一群の機器を抽出した場合に、一群の機器のうち動作が指示された時刻がもっとも早い機器２０、あるいは一群の機器のうち動作が指示された時刻がもっとも遅い機器２０の情報を用いると、第２のデータ組をより適切に設定できる可能性がある。また、機器２０の動作時においてセンサが検出した情報を付加することによっても、第２のデータ組をより適切に設定できる可能性がある。
【００８８】
たとえば、実施形態１では、「帰宅」に対応する第２のデータ組を選択している状態（第２状態）で、温度センサが検出した室温に基づいて、リビングのエアコンをオンの対象から除外する動作を行っている。これに対して、あらかじめ温度センサが検出した室温の情報を、条件部１３２が記憶するルールに含めておき、室温に応じた第２のデータ組を記憶部１３１に登録してもよい。この場合、第２のデータ組にエアコンの設定温度を含めることも可能である。また、「帰宅」に対してエアコンをオンにする温度、およびエアコンの設定温度などは、学習部１３３での学習により自動的に定めるようにしてもよい。
【００８９】
実施形態１において説明したように、記憶部１３１に設定された第１のデータ組および第２のデータ組は、操作表示器１１を用いてユーザが編集できるから、学習部１３３が生成した第２のデータ組についても、ユーザによる編集が可能である。他の構成および動作は実施形態１と同様である。
【００９０】
なお、実施形態１、実施形態２では、スイッチ１０（１０Ａ）がＨＥＭＳコントローラ３０と通信し、スイッチ１０（１０Ａ）は、ＨＥＭＳコントローラ３０を介して機器２０の制御を行っている。これに対して、ＨＥＭＳコントローラ３０を通さずに、住宅に配置した機器２０との通信を直接行うように構成することも可能である。また、ＨＥＭＳコントローラ３０ではなく、無線ＬＡＮ（Local Area Network）のアクセスポイントを通してスイッチ１０（１０Ａ）が機器２０と通信する構成を採用してもよい。
【００９１】
本実施形態の処理部１３Ａは、学習部１３３を備える。学習部１３３は、建物に配置された機器２０の動作履歴を記憶し、動作履歴の分析によって特定の場面に対応する機器２０の動作を学習する。出力部１４１は、第２状態が選択されると、学習部１３３が学習した機器２０の動作を指示する指示信号を出力する。
【００９２】
この構成によれば、場面に応じた機器２０を制御するための指示内容が自動的に生成される。
【００９３】
（実施形態３）
実施形態２では、スイッチ１０Ａが学習部１３３を備えているが、学習部１３３は、処理負荷が比較的大きいから、本実施形態ではＨＥＭＳコントローラ３０Ｂが学習部３３３を備える例を示している。また、本実施形態では、第２のデータ組を選択するルールを定めた条件部３３２をＨＥＭＳコントローラ３０Ｂが備えている。つまり、ＨＥＭＳコントローラ３０Ｂの処理部３３が、条件部３３２および学習部３３３を備える。また、ＨＥＭＳコントローラ３０Ｂは、時計部１６に相当する機能を持つ時計部３６と、取得部１７に相当する機能を持つ取得部３７とを備える。本実施形態のスイッチ１０Ｂは、実施形態２に示したスイッチ１０Ａの構成に対し、時計部１６、取得部１７を省略した構成を備えている。また、スイッチ１０Ｂの処理部１３Ｂは、実施形態２のスイッチ１０Ａにおける処理部１３Ａに対し、条件部１３２、学習部１３３を省略した構成を備えている。
【００９４】
スイッチ１０Ｂの処理部１３Ｂと、ＨＥＭＳコントローラ３０Ｂの処理部３３とは、プログラムに従って動作するプロセッサを備えるデバイスを主なハードウェア要素として備える。すなわち、実施形態１のスイッチ１０の処理部１３、実施形態２のスイッチ１０Ａの処理部１３Ａと同様に、処理部１３Ｂは、マイコンあるいはマイクロプロセッサなどを備えるコンピュータを用いて構成される。したがって、このコンピュータを、処理部１３Ｂとして機能させるためのプログラムが提供される。
【００９５】
本実施形態の条件部３３２は実施形態２の条件部１３２と同様に機能し、また本実施形態の学習部３３３は実施形態２の学習部１３３と同様に機能する。したがって、スイッチ１０ＢとＨＥＭＳコントローラ３０Ｂとを含めた機器制御システムの全体としての動作は、本実施形態と実施形態２とでほぼ同様である。ただし、本実施形態では、条件部３３２および学習部３３３をＨＥＭＳコントローラ３０Ｂが備えていることにより、スイッチ１０Ｂの処理負荷が軽減される。また、本実施形態は、実施形態２の構成に比べて、機器制御システムとしての応答時間（スイッチ１０Ｂの操作が機器２０の動作に反映されるまでの時間）が短縮される可能性もある。
【００９６】
本実施形態は、条件部３３２および学習部３３３をＨＥＭＳコントローラ３０Ｂに設けているが、学習部３３３に相当する機能をサーバ４０に設けることも可能である。サーバ４０が学習部３３３に相当する機能を持たせることにより、スイッチ１０ＢおよびＨＥＭＳコントローラ３０Ｂの処理負荷が軽減される。他の構成および動作は実施形態２と同様である。
【００９７】
上述した実施形態では、操作部１１１にタッチパネルを用いているが、表示部１１２の画面周囲に配置した押釦スイッチを操作部１１１として用いることが可能である。また、スイッチ１０（１０Ａ、１０Ｂ）の器体１００は、上述した実施形態において、埋込型を想定しているが、壁の表面に取り付ける直付型、壁に取り付けたホルダに着脱可能に取り付ける独立型などを採用してもよい。直付型の器体は、壁の表面にねじなどを用いて固定されるプレートと、プレートに結合するボディとを備える。この構造の器体は、ボディに操作表示器が設けられる。また、直付型の器体は、ボディがプレートに対して容易には分離できない構造と、ボディがプレートに対して比較的容易に着脱が可能になる構造とのいずれかが採用される。前者の構造では、爪および孔、またはねじなどを用いてボディがプレートに結合する。後者の構造では、磁石などを用いてボディがプレートに結合する。独立型の器体は、壁の表面にねじなどを用いて固定されるホルダに対して着脱可能に装着される。
【００９８】
また、上述した構成例では、表示部１１２には、第１のデータ組の表示内容と第２データ組の表示内容との一方のみが表示される構成を採用している。これに対して、表示部１１２の画面を分割し、第１のデータ組の表示内容と第２のデータ組の表示内容とを１画面に同時に表示する構成を採用してもよい。たとえば、表示部１１２の画面が縦長である場合に、図６に示すように、画面を上下に２分割し、第１のデータ組に対応する表示内容を上段１１Ａに表示し、第２のデータ組に対応する表示内容を下段１１Ｂに表示してもよい。
【００９９】
この構成では、ユーザが表示操作器１１に対してスワイプの操作を行うと、下段１１Ｂの表示内容を変更することが可能である。たとえば、玄関付近に配置されたスイッチ１０（１０Ａ、１０Ｂ）が、「帰宅」と推定するべきであるのに、「外出」と誤認したと仮定する。このとき、表示部１１２の下段１１Ｂには、「帰宅」に相当する図３Ｃのような図形１０３が表示されなければならないにもかかわらず、「外出」に相当する図３Ｅのような図形１０３が表示されることになる。このような場合に、ユーザはスワイプを行えば、「帰宅」に対応した図形１０３を表示することが可能になり、「帰宅」に対応した操作が可能になる。また、スワイプによって表示部１１２の下段１１Ｂに表示される図形１０３が変化しても、上段１１Ａの図形は変化しないから、スイッチ１０の操作によって、玄関の照明機器のみのオンあるいはオフを行うことも可能である。
【０１００】
さらに、他の構成例として、処理部１３は、所定の条件に応じて１個の第２のデータ組を選択する以外に日時、人感センサ、温度、気候等の複数の情報に基づいて第２状態におけるデータ組を複数選択することもできる。この場合、表示部１１２は、表示部１１２の画面を分割し、選択された一の第２のデータ組の表示内容と選択された他の第２のデータ組の表示内容とを１画面に同時に表示する構成を採用してもよい。
【０１０１】
このような場合に、ユーザはスワイプを行えば、表示部１１２に表示される複数の第２のデータ組の表示内容と第１のデータ組の表示内容とを適宜表示させることが可能となり、簡易なスワイプ操作によって、機器２０の動作の組み合わせを選択することができる。
また、他の構成例として、表示部１１２を２分割した表示以外に複数分割した表示とすることができ、表示部１１２に同時に第１のデータ組と複数の第２のデータ組とを組み合わせて表示させることも可能である。
【０１０２】
上述した構成例では、専用のスイッチ１０（１０Ａ、１０Ｂ）を構成しているが、スマートフォン（タブレット端末）でアプリケーションプログラム（いわゆる、アプリ）を実行し、上述したスイッチ１０（１０Ａ、１０Ｂ）と同様に機能させることが可能である。この場合、壁に固定されるホルダに取り付けたときに、アプリが起動されるように構成すればよい。
【０１０３】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【０１０４】
１０  スイッチ
１０Ａ  スイッチ
１０Ｂ  スイッチ
１１  操作表示器
１３  処理部
１３Ａ  処理部
１３Ｂ  処理部
２０  機器
３０  ＨＥＭＳコントローラ（コントローラ）
３０Ｂ  ＨＥＭＳコントローラ（コントローラ）
１１１  操作部
１１２  表示部
１４１  出力部
１３２  条件部
１３３  学習部
３３２  条件部
３３３  学習部
【図１】
0006497624.tif 000002
【図２】
0006497624.tif 000003
【図３】
0006497624.tif 000004
【図４】
0006497624.tif 000005
【図５】
0006497624.tif 000006
【図６】
0006497624.tif 000007